Podtech/llm-jp-corpus-v4-ja_patent huggingface dataset:
(57)【要約】【課題】本発明の課題は、ストロボのシュー部を簡単な構造で使用時には取り外しができ、不使用時には装着できる低コストで何らかの衝撃からシュー部を確実に保護し、カメラとの結合に不便が生じないようにできるストロボのシュー保護機構を提供する課題にある。【解決手段】本発明は、  必要に応じて、電力供給を行なうバッテリ、マイコン、昇圧回路、インターフェイス回路等からなる電源部と発光を司るコンデンサー、反射鏡、放電管等からなるヘッド部とから構成されるストロボにおいて、カメラのカメラ側シュー受部に結合する構造を有した前記ストロボのシュー部と、該シュー部を覆う構造で前記ストロボの筐体に着脱自在に取り付けられるカバーとからなることを特徴とするストロボのシュー保護機構。【選択図】図１
2010128118.tif 000002
【特許請求の範囲】
【請求項１】
必要に応じて、電力供給を行なうバッテリ、マイコン、昇圧回路、インターフェイス回路等からなる電源部と発光を司るコンデンサー、反射鏡、放電管等からなるヘッド部とから構成されるストロボにおいて、カメラのカメラ側シュー受部に結合する構造を有した前記ストロボのシュー部と、該シュー部を覆う構造で前記ストロボの筐体に着脱自在に取り付けられるカバーとからなることを特徴とするストロボのシュー保護機構。
【発明の詳細な説明】
【技術分野】
【０００１】
本発明は、所謂外付けストロボのシュー部を何らかの衝撃から保護するカバー構造で、カバーをストロボの筐体に対して凹凸構造で着脱自在に取り付けることができるようにし、これによってストロボの使用時には容易に外せ、不使用時には取り付けて、ぶつけたり或いは落としたり際にストロボのシュー部が破損しないようにしたものである。構造的に単純であるので費用も掛からず便利である。
【背景技術】
【０００２】
従来、バッテリ、マイコン、昇圧回路、インターフェイス回路、コンデンサー、反射鏡、放電管等からなるストロボにおいて、ストロボのシュー部はカメラ側シュー受部に結合してカメラとの信号のやり取りをして発光させるので非常に重要なコネクタ機能を有している。通常、この様な重要なシュー部であっても携帯する時などシュー部が露出した状態で携行するので非常に危険である。
【０００３】
不意に何かにぶつけたり、或いは落としたりしてシュー部を破損してしまいカメラ側シュー部と結合できなくなってしまうことになる。このためにシュー部をストロボ筐体内に収納する構造のものも考えられているが構造が複雑でコストも上昇する欠点がある。従って大半のストロボのシュー部は外部に露出状態になっている。
【０００４】
特許文献１は外付けストロボの技術を開示してはいるが、シュー部の保護を簡単に計る構造は示されていないものである。
【特許文献１】特開２００８−９００８４号公報
【発明の開示】
【発明が解決しようとする課題】
【０００５】
本発明が解決しようとする課題は、ストロボのシュー部を簡単な構造で使用時には取り外しができ、不使用時には装着できる低コストで何らかの衝撃からシュー部を確実に保護し、カメラとの結合に不便が生じないようにできるストロボのシュー保護機構を提供する課題にある。
【課題を解決するための手段】
【０００６】
本発明は課題解決の手段として、必要に応じて、電力供給を行なうバッテリ、マイコン、昇圧回路、インターフェイス回路等からなる電源部と発光を司るコンデンサー、反射鏡、放電管等からなるヘッド部とから構成されるストロボにおいて、カメラのカメラ側シュー受部に結合する構造を有した前記ストロボのシュー部と、該シュー部を覆う構造で前記ストロボの筐体に着脱自在に取り付けられるカバーとからなることを特徴とするストロボのシュー保護機構である。
【発明の効果】
【０００７】
請求項１記載の発明によれば、ストロボのシュー部を簡単な構造で使用時には取り外しができ、不使用時には装着できる低コストで何らかの衝撃からシュー部を確実に保護し、カメラとの結合に不便が生じないようにできる効果があるストロボのシュー保護機構である。
【発明を実施するための最良の形態】
【０００８】
本発明は、カバーの寸法をストロボ筐体の外側の寸法より僅かに小さくし、これに抗してストロボ筐体に取り付け、しかもカバーとストロボ筐体とは凹凸構造で結合するので容易にカバーがストロボ筐体から脱落することがないものである。
【０００９】
以下に、本発明の実施例に係るストロボの発光部装置の構成を図１、図２を参照して詳細に説明する。図２は図１のカバーの縦断面図である。
【００１０】
１は通常使用されているカメラのカメラ側シュー受部に結合するシュー部で、該シュー部１はストロボ２の底部に設けられ、カメラからの信号を受けるようになっている。従ってシュー部１の底部には信号端子或いはロック端子といった一般的な端子の先端が露出している。
【００１１】
前記シュー部１は通常、露出した状態であるから、前記ストロボ２のストロボ筐体３の側壁に凹部４１、４２を並べて形成する。凹部４１、４２を形成した反対側には同様に凹部４３，４４が形成されている。５はカバーで断面凹字方になっている。該カバー５の材質はプラスチックである。
【００１２】
カバー５の内側側壁には前記凹部４１，４２，４３，４４に嵌合する凸部５１，５２，５３，５４が形成してあって、凹４１，４２，４３，４４及び凸部５１，５２，５３，５４は対応位置及び嵌合寸法を調節して形成してある。凸形状は図２の断面で表している。
【００１３】
次に、カバー５をシュー１を覆う場合は矢印方向からカバー５を少し押し広げストロボ筐体３の側壁に押し込むと凹部４１，４２，４３，４４と凸部５１，５２，５３，５４とが位置的に一致し、そこで嵌合される。この場合カバー５は強制的に押し込んだのでプラスチックの弾力性で狭まる方向に力が働きストロボ筐体３から脱落することはないものである。
【００１４】
ストロボ筐体３からカバー５を外す場合は前記装着の作業と逆にすればよく凹部４１，４２，４３，４４から凸部５１，５２，５３，５４を外し、カメラ側シュー受部にシュー部１を取り付ければよい。
【産業上の利用可能性】
【００１５】
本発明のストロボのシュー保護機構はストロボを使用しないとき確実にカバーでシュー部を保護できるので便利で産業上有用である。
【図面の簡単な説明】
【００１６】
【図１】本発明の実施例を説明するためのストロボのシュー保護機構の概略図。
【図２】図１のカバーの縦断面図である。
【符号の説明】
【００１７】
１    シュー部
２    ストロボ
３    ストロボ筐体
４１、４２，４３，４４    凹部
５１，５２，５３，５４  凸部
【図１】
2010128118.tif 000003
【図２】
2010128118.tif 000004
(57)【要約】【課題】ユーザーが自分で広告営業を行い、広告主直接交渉を行い広告金額を決定することが可能であり、有償で提供されるシステムの使用料以上の広告掲載費をユーザー個人が収益とすることができる携帯ＷＥＢサイトの広告システムを提案する。【解決手段】携帯端末の複数のユーザーがインターネット機能を使ってＷＥＢサイト上に、ユーザー自身のサイトを開設可能とするとともに、サイトの運営機能を有するシステムとし、ユーザーは、独自にサイト内に広告を掲載する機能を有し、この広告の管理者となり、ユーザー自身が独自に広告の広告主と取り決めた広告金額を基準にしてシステム運営企業と利益を分け合うことが可能で、ユーザー個人の収益となるシステムを提供可能とする。【選択図】        図１
2010128999.tif 000002
【特許請求の範囲】
【請求項１】
あらかじめ用意された携帯端末用のＷＥＢサイトにおいて、
該携帯端末の複数のユーザーがインターネット機能を使って前記ＷＥＢサイト上に、該ユーザー自身のサイトを開設可能とするとともに、該サイトの運営機能を有するシステムであって、
前記ユーザーは、独自に前記サイト内に広告を掲載する機能を有し、該広告の管理者となり、ユーザー自身が独自に前記広告の広告主と取り決めた広告金額を基準にしてシステム運営企業と利益を分け合うことが可能で、前記ユーザー個人の収益となるシステムを提供可能とすることを特徴とする携帯ＷＥＢサイトの広告システム。
【発明の詳細な説明】
【技術分野】
【０００１】
この発明は、携帯ＷＥＢサイトの広告システムに関する。
【背景技術】
【０００２】
携帯端末の一つである携帯電話によるインターネットビジネスの主流は情報課金と広告ビジネスであるが、個人でビジネスを行う場合は広告代理店が用意する広告主の広告を、自分が管理・運営する携帯サイトやブログなどに掲載するアフェリエイトシステムがほとんどであった。
この場合は携帯サイトが広告メディアであるにも関わらず、それを管理・運営する個人に入る手数料収入はわずかなものになるので、ビジネスとして成立させるのは難しかった。
【発明の開示】
【発明が解決しようとする課題】
【０００３】
しかしながら、ユーザー自身が個人で広告営業を行い、かつメディアとしての携帯ＷＥＢサイトを運営するのは資金と設備が必要であるという問題があった。
【０００４】
この発明は上記の問題を解決するためになされたものであり、個人で広告営業を行い且つ携帯電話のみで媒体である携帯サイトの管理・運営ができ、広告ビジネスを広く普及させることを目的とする。
【課題を解決するための手段】
【０００５】
この発明は上記の目的を達成するため、誰もが簡単に携帯電話のインターネット機能を使って携帯サイト上に自分のメディアを開設し運営できるようにした。これにより各ユーザーは広告媒体の所有者となる。また、ユーザーは自分で広告営業を行い、広告主直接交渉を行い広告金額を決定することが可能であり、有償で提供されるシステムの使用料以上の広告掲載費はユーザー個人の収益となるものである。
【０００６】
また、各々のユーザーは自分の携帯サイトの閲覧数を増加させるために、各自工夫をしなければならないが、その結果このメディアの広告価値が向上するので広告営業における価格決定に有利となる。
【０００７】
さらに、自分の運営する携帯サイトにおいて、広告主１の訴求したい商品やサービスについて自分の意見を掲載することにより、一般閲覧者の広告に対する関心を高めるとともに広告としての費用対効果を高めることも可能となる。
【発明の効果】
【０００８】
この発明によるＷＥＢサイトの広告システムは、広く一般に対し広告ビジネスのビジネスチャンスを提供することができる。また、システム管理運営側もユーザーが存在する限り収益をあげることができ、また広告主はテレビ・ラジオ・新聞・雑誌などに比べると安価に広告の展開を行う事ができ、他のインターネット広告と比較しても費用も手間もかからないため、地方の個人商店や商工会議所などでも広告を掲載する事が簡易となる。
【発明を実施するための最良の形態】
【０００９】
以下、この発明を実施するための最良の形態を図面に基づいて具体的に説明する。
図１は、この発明の実施例の一例である。
【００１０】
ユーザー２はシステム運営企業４が用意したシステムを利用してインターネット接続可能な携帯電話のみで携帯サイト３を開設する。
開設した携帯サイトへの広告掲載はユーザーが独自で企画・営業を行う。
携帯サイトへの広告掲載もユーザーが上記の携帯電話のみで可能。
ユーザーは広告主に対し広告掲載費用を交渉する。
この場合のユーザーの収益は
（広告掲載費）−（システム使用料）＝ユーザーの収益
となる。
【産業上の利用可能性】
【００１１】
この発明による携帯ＷＥＢサイトの広告システムは、携帯電話だけでなく通信機能を有する携帯端末すべてに適用することができる。
【図面の簡単な説明】
【００１２】
【図１】この発明の実施例であるユーザー、広告主とシステム運営企業との関係を示す概念図である。
【符号の説明】
【００１３】
１：広告主  ２：ユーザー  ３：携帯サイト  ４：システム運営企業
【図１】
2010128999.tif 000003
(57)【要約】【課題】  フォークリフトの乗り心地及び積荷の安定性を改善する。【解決手段】  フォークリフト用タイヤに、振動減衰性に優れたジェルをタイヤトレッドの裏面に層状に貼り付け、その内側に空気入りチューブを入れた構造のタイヤを用いることにより、衝撃吸収性と振動減衰性を高める。【選択図】図１
2010274897.tif 000002
【特許請求の範囲】
【請求項１】
トレッド裏面にジェル層を貼り付けたエア入り、フォークリフト用タイヤ
【請求項２】
ジェル層に用いるジェルは、ＳＥＢＳ、ＣＥＢＣおよびＳＥＥＰＳ等のエラストマーとパラフィン系プロセスオイルの混合物であり、その比率は１：３から１：８で、振動減衰性と形状維持性をバランスさせたもの。
【請求項３】
ジェル層に用いるジェルのエラストマーは、熱可塑性であり、ジェルは、加熱溶融可能なもの。
【発明の詳細な説明】
【技術分野】
【０００１】  本発明は、ジェルと空気により、乗り心地改善およびパンク防止を図ることに関する技術であり、機械工学および材料工学分野に属する発明である。
【背景技術】
【０００２】
【非特許文献１】  ｈｔｔｐ：／／ｗｗｗ．ｆｕｋｕｙａｍａｇｏｍｕ．ｃｏ．ｊｐ／ｐｒｏｄｕｃｔ＿ｉｎｆｏｒｍａｔｉｏｎ／ａｉｒ＿ｂｏｓｓ＿ｔｙｒｅｓ／ｃｈａｒａｃｔｅｒｉｓｔｉｃ．ｈｔｍ  福山ゴムのＨＰ、ＡｉｒＢｏｓｓ  Ｔｉｒｅｓの説明
【発明の開示】
【発明が解決しようとする課題】
【０００３】  フォークリフト用タイヤは、空気入りタイヤ、ゴムのむくで出来たノーパンクタイヤ（以下ノーパンクタイヤという）および耐摩耗性トレッドゴム、低発熱クッションゴム、ベースゴムの３層構造からなる上記のエアボスタイヤ（以下３層構造タイヤという）がある。【０００４】  空気入りタイヤとノーパンクタイヤは段差を乗り越えた際、振動が生じ、段差の連続によっては共振現象が起き、積荷を落とす場合もある。【０００５】  ノーパンクタイヤはごつごつとした突き上げ感があり、乗り心地が悪く、乗員に苦痛を強い、腰痛疾患を起こす場合もある。【０００６】  ３層構造タイヤは衝撃吸収性や振動減衰性が良く、乗り心地も良いが、長時間の使用により、中間の低発熱クッションゴムにへたりが生じ、衝撃吸収性や振動減衰性が持続できない場合もある。【０００７】  ３層構造タイヤは、構造が複雑なため空気入りタイヤやノーパンクタイヤと比較してコストが高いという問題がある。【０００８】  空気入りタイヤはパンクの可能性がある。【０００９】  ノーパンクタイヤや３層構造タイヤは、空気入りタイヤと比較して、重量が重い。
【課題を解決させるための手段】
【００１０】  本発明は、振動減衰性に優れたジェルをタイヤトレッドの裏面に層状に貼り付け、その内側に空気入りチューブを入れた構造のタイヤである。
【００１１】  ジェル層の厚さにより、釘等の異物がタイヤおよびジェル層を貫通するのを防ぎ、内側の空気入りチューブに損傷を与えないようにして、パンクを防止する。
【００１２】  空気入りチューブは衝撃吸収性に優れるが、それに殆ど自体振動減衰性はないため、ジェル層とチューブに密閉された空気の組合せにより、衝撃吸収性と振動減衰性を合わせて持たすことにより、乗り心地を改善し、連続段差により生ずる共振現象を防止する。
【００１３】  空気入りチューブをタイヤ内に入れたことにより、従来のノーパンクタイヤや３層構造タイヤと比較して、大幅な軽量化が可能。
【発明を実施するための最良の形態】
【００１４】  使用するジェルはＳＥＢＳ、ＣＥＢＣおよびＳＥＥＰＳ等のエラストマーとパラフィン系プロセスオイルの混合物であり、その比率は１：３から１：８で、振動減衰性と形状維持性をバランスさせたもの。【００１５】  ＳＥＢＳ、ＣＥＢＣおよびＳＥＥＰＳは熱可塑性であり、パラフィン系プロセスオイルとは、加熱状態で容易に混錬することができるもの。【００１６】  フォーリフト用ホイールは、通常合わせホイールであるため、チューブレス化が困難なため、空気はチューブ入りが良い。
【実施例】
【００１７】  以下、実施例を挙げて本発明を更に具体的に説明するが、本発明は、その要旨を超えない限り、これらの実施例に何ら制約されるものではない。【００１８】  図１に本発明タイヤ（以下ジェル入りタイヤという）の断面図を示す。【００１９】  ジェル入りタイヤに使用するジェルは、エラストマーに熱可塑性ＣＥＢＣを用い、オイルにはパラフィン系プロセスオイルを用いている。【００２０】  混合比率はＣＥＢＣ：プロセスオイル＝１：５で、オイルリッチで振動吸収性の高いものであり、その融点は１２０℃と低く、加工性に優れる。【００２１】  フォークリフト用タイヤは一般の空気入りタイヤのものを用い、ジェル層は予め金型により成形した筒状のものを、ジェルの粘着性を利用して、トレッド裏面に貼り付ける。【００２２】  ジェル層の厚さは釘等の突き抜けを防ぐため、５０ｍｍと厚いが、振動吸収性に優れる。【００２３】  図２に各フォークリフト用タイヤの感応試験結果を示す。【００２４】  この結果から、本発明のジェル入りタイヤは、乗り心地が良く、連続段差での共振現象が防止できていることが分かる。
【図面の簡単な説明】
【００２５】
【図１】タイヤ断面図
【図２】各フォークリフト用タイヤの感応試験結果
【符号の説明】
【００２６】１：トレッド部
２：ジェル層
３：密閉された空気
４：ホイール
【図１】
2010274897.tif 000003
【図２】
2010274897.tif 000004
(57)【要約】      （修正有）【課題】スポーツ自転車小径車等のデザインを損なわず、かつ軽量で便利なサイクリングに使用する自転車の荷台を確実に保持し且つフレームの脱着が容易で軽量、安価な自転車の荷台フレームを保持する為の部品を提供する。【解決手段】サドルを支えるシートレール８にヒンジ２を被せて本保持部品のアーム１の上端２箇所に荷台フレームとシートレールの角度と高さを調整してネジ４で留める。シートレールの幅と荷台フレームの幅を保持部品の長方形の複数支点６の穴にボルト位置を選択して適合させ支点止めボルト３で固定する。本保持部品の下端フック７の２箇所に荷台フレーム９を載せて脱落防止ナット５でロックする。【選択図】図２
2010274896.tif 000002
【特許請求の範囲】
【請求項１】
本発明の自転車の荷台フレームを保持する部品は２本のアームが交差する鋏形の形状から構成され、車体側の取り付け部品であるシートレール２本と接続される側の荷台フレーム２本が本保持部品の交差するアームに依ってお互いの対角線上の位置にあたるフレームを保持しあっていることを特徴とする自転車の荷台フレームを保持する部品。
【請求項２】
上記鋏形状を成す保持部品の支点となる中程に在るボルトを固定する為の穴は交差する２本のアーム上に複数支点の目的で長方形に空けられていることを特徴とする自転車の荷台フレームを保持する部品。
【発明の詳細な説明】
【技術分野】
【０００１】本発明はスポーツ自転車小径車等のデザインを損なわず、かつ軽量で便利なサイクリングに使用する自転車の荷台を確実に保持し且つフレームの脱着が容易で軽量、安価な自転車の荷台フレームを保持する為の部品に関する。
【背景技術】
【０００２】本発明部品は既に特許出願済の従来に無い自転車の荷台フレームを保持する為に開発された部品である。
（特願２００８−３３５９７５）
【発明の開示】
【発明が解決しようとする課題】
【０００３】ロードバイク、シテイーバイク、マウンテンバイク等のスポーツバイクには通常の実用車に取り付ける一般の荷台は  デザインがマッチしない、重い、取り外しが出来ない等の理由で使用しない。
スポーツ車専用の荷台フレームも在るが接続部品が高価で有ったり、取り付け方法がシートポストの１箇所に留める為、耐荷重が低く荷物が重みで車体の後輪に接触するまでに落下してしまう。
更に取り付ける車体側のシートポストの素材がカーボンである場合１箇所だけの締め付け方法ではチューブの特性上体重を支える重さには強いが横からの衝撃に弱く破損する事故が頻発した。
【課題を解決するための手段】
【０００４】上記欠点を解消する為に曲線フレームと車体に対して２箇所の係留方式を採用した新規の荷台フレームを本発明の保持部品と組み合わせて使用することによりシンプルな保持構造の特徴として総重量が軽く抑えられ、見た目も良く、取り外しも容易で、安価な使い勝手の良いスポーツ自転車用の荷台フレームを取り付けることが可能となった。
荷台フレームを保持する本発明部品は２本のアームを鋏状に交差させた形状からなりアームの上端２箇所を自転車のシートレールにヒンジ部品で固定し下端をシートレールとは対角線上にある２本の荷台フレームと係留する。
２本のアームが交差した要部分はシートレールと荷台フレームの高さ幅を請求項２の多支点目的の長方形の穴で調整しネジ止めで固定する。
【発明の効果】
【０００５】本発明部品は専用部品のヒンジに依ってシートレールと接続される。
取り付ける荷台フレームの角度とシートレールの角度が違っても本保持部品とヒンジを固定するボルトの仲介で角度を調整して適切に合わせることができる。
また使用上最も大きな問題点は荷台フレームが横揺れを起こすことにある。
本発明部品は鋏形状による筋交い構造のため荷台フレームの横揺れには充分対処できる。  本部品と荷台フレームを合計した全重量の９０％はシートレールに預けられるがシートレールはサドルを介して人間の体重を支える為の部品であるから荷台の総重量の増加にも問題は無い。
【発明を実施するための最良の形態】
【０００６】以下、本発明の実施の形態に係る自転車の荷台フレームの保持部品を図面に基ずいて説明する。自転車のサドルを支えるシートレール８にヒンジ２を被せて本保持部品のアーム１の上端２箇所に荷台フレームとシートレールの角度と高さを調整してネジ４で留める。
シートレールの幅と荷台フレームの幅を保持部品の請求項２にある長方形の複数支点６の穴にボルト位置を選択して適合させ支点止めボルト３で固定する。
本保持部品の下端フック７の２箇所に荷台フレーム９を載せて脱落防止ナット５でロックする。この結果シートレール２本と荷台フレーム２本は交差した本保持部品によって対角線で支持される。
【図面の簡単な説明】
【０００７】
【図１】本保持部品で荷台フレームを自転車に取り付けた側面図である
【図２】本保持部品の正面図である
【図３】本保持部品の分解図である
【符号の説明】１．保持部品本体のアーム
２．シートレールと保持部品の接続ヒンジ
３．支点止めボルト、ナットセット
４．ヒンジ接続ボルト、ナットセット
５．荷台フレーム脱落防止ナット
６．多支点長方形穴
７．荷台フレーム保持フック
８．シートレール
９．自転車の荷台フレーム
【図１】
2010274896.tif 000003
【図２】
2010274896.tif 000004
【図３】
2010274896.tif 000005
(57)【要約】      （修正有）【課題】大豆など穀類に混合している小石、土粒、金属片、ガラス片、プラスチック片、茎、葉、毛髪、昆虫の死骸、小動物や昆虫の糞などの形状・大きさ・重さなど条件の異なる雑物を選別除去することができる選別手段を提供する。【解決手段】畝の間隔が３ｍｍから５ｍｍの樹脂性ダンボール板を底面とする略四角形のちり取り状選別装置に微振動を与えることにより、簡単に安価で少量多種類の大豆など穀類の雑物を選別除去することができる。【選択図】なし【特許請求の範囲】
【請求項１】
畝の間隔が３mmから５mmの樹脂性ダンボール板を底面とする略四角形の箱で、一辺      の立壁を欠く構成とした、ちり取り状穀類選別装置。
【発明の詳細な説明】
【技術分野】
【０００１】
本発明は、大豆などの穀物類の選別装置に関するものである。
【背景技術】
【０００２】
従来、大豆など穀物の選別装置としては、選別孔を有する単一の選別板を振動させるもの、（特許文献１参照）また、選別板を上下２段に設け各選別板に揺動運動を与えて上段のもので１次選別したものを下段のもので２次選別するもの、（  特許文献２参照）あるいは、傾斜する固定の多孔板と重架する固定の選別板を上下に設け多孔板と選別板の間に風選部を配設して、多孔板により１次選別したものを風選部で２次選別を行い更に選別板によって３次選別するもの（特許文献３号公報参照）等がある。
【０００３】
【特許文献１】特開昭６０−１５３９７５号公報
【特許文献２】実公平４−６８５６号公報
【特許文献３】実開昭５２−１０７２７４号公報
【０００４】
しかし、これら上記従来の選別装置によれば、大豆畑から収穫し打穀したものを選別  するとき、大豆など穀類に混合している小石、土粒、金属片、ガラス片、プラスチッ    ク片、茎、葉、毛髪、昆虫の死骸、小動物や昆虫の糞などの形状・大きさ・重さなど    条件の異なる雑物が混在していて、この雑物を選別除去することができず選別精度が    劣るのである。
【発明の開示】
【発明が解決しようとする課題】
【０００５】
本発明は、大豆など穀類に混合している小石、土粒、金属片、ガラス片、プラスチッ  ク片、茎、葉、毛髪、昆虫の死骸、小動物や昆虫の糞などの形状・大きさ・重さなど    条件の異なる雑物を樹脂製ダンボールの畝を利用して、揺動選別するようにしたので    ある。
【課題を解決するための手段】
【０００６】
本発明は、畝の間隔が３mmから５mmの樹脂性ダンボール板を底面とする略四角形の箱  で、一辺の立壁を欠く構成としたちり取り状の選別装置を用い、微振動を同装置に与えることで、大豆など穀類に混合している小石、土粒、金属片、ガラス片、プラスチック片、茎、葉、毛髪、昆虫の死骸、小動物や昆虫の糞などの形状・大きさ・重さなど条件の異なる雑物を揺動選別する。
【発明の効果】
【０００７】
本発明により、高価格の設備を導入しなくとも、安価で大豆など穀類に混合している  雑物を選別除去できる。また、小規模で多種類の大豆などの穀類に混合している雑物を
簡単に短時間で選別除去できる。
【実施例】
【０００８】
小石、土粒、金属片、ガラス片、プラスチック片、茎、葉、毛髪、昆虫の死骸、小動  物や昆虫の糞などの雑物を含んだ大豆約５００グラムを本選別装置に入れ、本選別装置を両手で把持し、左右に微振動させ被選別物に揺動運動を与えたところ、１５秒で大豆と雑物を分離できた。
(57)【要約】【課題】歯科衛生士が歯石除去などを行う際、左手にバキューム管を持つと、口腔内の水を吸いとることは出来ても、下顎前歯舌側や上顎前歯口蓋側などは、直視しながら行うことは難しい。その時は一度、左手のバキュームをおき、長い柄のついたデンタルミラーに持ちかえて、鏡視しながら施術するのだが、そうすると患者の口腔内に水がたまっていき、すぐに施術できなくなる。水を吸引しながら鏡視することは不可能だった。  本発明は、吸引しながら鏡視、採光することを目的とする。【解決手段】デンタルミラー本体の一部に柄を取りつけ、ミラーの背部に折り曲げ、バキュームチップにはさめる様にする。【選択図】図２
2010274082.tif 000002
【特許請求の範囲】
【請求項１】
デンタル用ミラーの一部にＵ字状に折り曲げた柄を取り付け、この柄を別に設けたバキュームチップにはさみ着けたことを特徴とするデンタルミラー。
【発明の詳細な説明】
【技術分野】
【０００１】  本発明は歯科衛生士が予防処置等をする際、施術部位を見るデンタルミラーに関するものである。
【背景技術】
【０００２】  従来、歯科衛生士が歯石除去など予防処置を行う際、左手にバキュームを持ち、右手に持っている器具（超音波スケーラーなど）から出る水を吸いながら施術していた。
なお、歯科医師がアシスタントなしで、ひとりで切削する際、バキューム本体にねじを取り付け長い柄のついたデンタルミラーを取り付ける方法や、上顎最後臼歯遠心を切削する際、バキュームチップの先端にミラーをつけひとりで施術する方法がある。
【発明の概要】
【発明が解決しようとする課題】
【０００３】  歯科衛生士が歯石除去などを行う際、左手にバキュームを持つと口腔内の水を吸い取ることはできても、下顎前歯舌側や上顎前歯口蓋側など直視をしながら行うことは難しい。その時は、一度左手に持っているバキュームを置き、長い柄のついたデンタルミラーに持ちかえて鏡視するのだが、そうすると患者の口腔内に水がたまっていきすぐ処置できなくなる。
バキュームで水を吸引しながら、同時に鏡視することは不可能だった。
本発見は、以上の問題点を解決するためになされたものである。
【課題を解決するための手段】
【０００４】  デンタルミラーの一部にＵ字状に折り曲げた柄を取り付け、デンタルミラーの背部に添わすように別の設けたバキュームチップにはさむ。
以上の構成によりなるデンタルミラーである。
【発明の効果】
【０００５】  従来、歯科衛生士が超音波スケーラーやペリオチップなどを使用する際、そこから出てくる水を吸引するため、左手にバキュームを持つが、その為、鏡視や採光は期待できなかった。
本発明をバキュームチップに装着することによって、吸引しながら鏡視することが出来、なおかつ、口腔内のライトが届きにくい部位においてもライトをミラーに反射させることで、吸引しながら明るくしっかりと見ることができる。
常に吸引しているので、患者の口腔内にあふれるほどの水がたまってしまうという心配はない。
本発明は、簡単に着脱できる為、作業時間に影響することはない。
【図面の簡単な説明】
【０００６】
【図１】  デンタルミラーの正面図
【図２】  デンタルミラーの側面図
【図３】  デンタルミラーの背面図
【図４】  バキュームチップの斜視図
【図５】  本発明をバキュームチップに装着した図
【図６】  本発明をバキュームチップに装着した側面図
【図７】  本開発をバキューム管にバキュームチップと先に装着した図
【発明を実施するための形態】
【０００７】  以下、本発明の実施の形態を説明する。
デンタルミラー（１）に柄をつけ、ミラーの背部に折りまげた柄（２）を添わす。
柄は、ミラーから出ないように、ミラーの端とちょうどにしておく。
ミラー（１）と折りまげた柄（２）との間は、１〜２ｍｍあけておく。
本発明を使用するときは、バキュームチップ（３）の挿入側に、折り曲げた柄（２）をはさむ。そのバキュームチップ（２）を、バキューム管（４）本体に取り付ける。
ミラー（１）と折り曲げた柄（２）との間に、１〜２ｍｍの空隙をもうけてあるので、バキュームチップ（３）に取り付ける際もつきやすく、なおかつ操作する時にミラー（１）をバキュームチップ（３）の周り３６０°動かすことができる。
着脱が容易なので、作業に支障をきたさない。
【符号の説明】
【０００８】  （１）デンタルミラー
（２）折り曲げた柄
（３）バキュームチップ
（４）バキューム管
【図１】
2010274082.tif 000003
【図２】
2010274082.tif 000004
【図３】
2010274082.tif 000005
【図４】
2010274082.tif 000006
【図５】
2010274082.tif 000007
【図６】
2010274082.tif 000008
【図７】
2010274082.tif 000009
(57)【要約】      （修正有）【課題】必要に応じて移動時にはステッキとして、また待ち時間には携帯椅子に組み変えられるものを一体化して手軽に便利に利用できるものを提供する。【解決手段】ステッキ形状の座板１と三脚支柱２を連結しているネジ５を解いて２分割して、三脚支柱の下部の束ねている紐又はテープ４を外して、支点リング３を中心に三角形に広げる。座板裏の３つの穴６に三脚支柱の上部をそれぞれ差し込み、座板裏のバネ又はゴムの止め金９からの三つのバネ又はゴム７を指で引っ張り上げて支点リング３に引掛けることにより携帯椅子を完成させる。【選択図】図２
2010274085.tif 000002
【特許請求の範囲】
【発明の詳細な説明】
【技術の分野】
【０００１】この発明は、ステッキが携帯椅子に組み立てられ、携帯椅子がステッキ戻せる装置に関するものである。
【背景技術】
【０００２】従来、ステッキと椅子は別物であった。
【発明の開示】
【発明が解決しようとする課題】
【０００３】これには、次のような問題点があった。目的地に行ってみて長時間待ちの行列であったり、現場で待機時間が長引くことも予想するが、それがために椅子を提げて行くこともできなかった。このためについ立ちっぱなしで疲れることもやむを得なかった。本発明は、以上な問題点を解決するためのものである。
【課題を解決するための手段】
【０００４】目的地に行くときは、通常のステッキ［図１］として手軽に持ち運びに活用し、目的地に着けば、必要に応じてステッキ［図１］が携帯椅子［図４］に組み変えられる。携帯椅子［図４］の必要がなくなれば、又ステッキ［図１］に戻せるようにしたので、わざわざ椅子を提げていく必要もない。本発明は、この構成によるステッキと携帯椅子を合体させたものである。
【発明の効果】
【０００５】ステッキと携帯椅子が合体となっているので、どこに行くにも手軽に杖として椅子を運ぶことができ、ステッキの役割も果たし、腰を掛けたいときは、いつでもどこでも携帯椅子に組み変えられる。移動する時は元通りのステッキに簡単に戻せるので、高齢者や長時間の立ちっぱなしの待機時間には効果がある。
【発明を実施するための最良の形態】
【０００６】以下、本発明を実施するための最良の形態について説明する。
ステッキ［図１］として使用する場合は、持ちやすく軽量でなければならない。
携帯椅子［図４］として使用する場合は、ステッキの座板（１）に固定している三脚支柱（２）との連結ネジ（５）を戻し、三脚支柱（２）の足元を束ね紐又はテープ（４）を解き、支点リング（３）を中心にして三脚支柱（２）を三角形に自然体で開き、上部は座板（１）の裏面の三脚支柱（２）の差し込み穴（６）に挿入して、座板（１）に装着したバネ又はゴム（７）の止め金（９）から支点リング（３）に引っかけて固定をして安定性をもたせた。座板（１）は自転車のサドル式にして、穴をくりぬきステッキの握り穴（８）とした。歩行時にはステッキとして充分な役目を果たし、あまり嵩張らないようにような形状にした。ステッキとして使用の時は座板（１）に装着しているバネ又はゴム（７）が不要になるので収納金具（１０）へ集約するようにした。
【図面の簡単な説明】
【０００７】
【図１】  本発明のステッキの表立面図である。
【図２】  本発明のステッキの裏立面図である。
【図３】  本発明のステッキの断面図である。
【図４】  本発明の携帯椅子の立面図である。
【符号の説明】
【０００８】  １  座板
２  三脚支柱
３  支点リング
４  三脚支柱束ね紐又はテープ
５  三脚支柱と座板の連結ネジ
６  座板裏の三脚支柱の上部差し込み穴
７  座板と三脚支柱の固定バネ又はゴム
８  ステッキの握り穴
９  バネ又はゴムの座板の止め金
１０  バネ又はゴムの不要時の収納金具
【図１】
2010274085.tif 000003
【図２】
2010274085.tif 000004
【図３】
2010274085.tif 000005
【図４】
2010274085.tif 000006
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
ステッキ［図１］の座板（１）の前方の裏先端に設けた三脚支柱と座板の連結ネジ（５）の凸型と三脚支柱束ね紐又はテープ（４）で支柱三本を一本に束ねた内の一本にはめ込んだ三脚支柱と座板の連結ネジ（５）の凹型をネジ込んで連結一体化したものがステッキ［図１］である。座板（１）の裏面に組み込んだバネ又はゴムの座板の止め金（９）にセットされた座板と三脚支柱の固定バネ又はゴム（７）はステッキ［図１］には不必要なので収納金具（１０）にまとめたのが［図２］である。こうして座板（１）の後部のステッキの握り穴（８）を持つとステッキ［図１］になるようにした。
【請求項２】
ステッキ［図１］の状態から三脚支柱と座板の連結ネジ（５）をほどいて、三脚支柱（２）を一本に束ねている三脚支柱束ね紐又はテープ（４）を解いて、三脚支柱（２）の上部に位置する支点リング（３）と三脚支柱（２）の接点の融通ピンを起点に三角錐形に広げる。座板裏の三脚支柱の上部差し込み穴（６）にそれぞれ三本を差し込み座板の止め金（９）と支点リング（３）を座板と三脚支柱の固定バネ又はゴム（７）を引っかけて一体化すると携帯椅子［図４］になるようにした。
(57)【要約】【課題】  乳幼児を外気中のウイルスから守ろうとすると、大人同様のマスクを使用することになるが、乳幼児はマスクを嫌がり取ってしまうので、ウイルスから守る事は難しい。本発明は、マスクを嫌がる乳幼児を抱っこ紐で抱いた時に、外気中のウイルスから子供を守る為のカバーを提供する。【解決手段】      抱っこ紐に装着されたカバー本体において、側面両部にフィルターを設け、背面にガーゼを設け、側面との接続部分にファスナーを設ける。カバー上半部分の頭部前面及び両側面の縁部分にソフトワイヤーを設ける。カバー上半部分の頭部から前面部の左右両端に、ソフトワイヤーに沿ってファスナーを設ける。カバー頭部の手前の縁中央部に開閉用のマジックテープ（登録商標）を設ける。下半部両側面に通気性の布部分を設け、カバー下半部の抱っこ紐で抱いた乳幼児のお尻に当たる辺りに絞るように腰紐を設ける。腰紐前面部に反射テープを設ける。以上の構成を特徴とする乳幼児のウイルスカットカバー抱っこ用である。【選択図】図１
2010274086.tif 000002
【特許請求の範囲】
【請求項１】
抱っこ紐に装着されたカバー本体において、側面両部にフィルターを設け、背面にガーゼを設け、側面との接続部分にファスナーを設け、カバー上半部分の頭部前面及び両側面の縁部分にソフトワイヤーを設け、カバー上半部分の頭部から前面部の左右両端に、ソフトワイヤーに沿ってファスナーを設け、カバー頭部の手前の縁中央部に開閉用のマジックテープ（登録商標）を設け、下半部両側面に通気性の布部分を設け、カバー下半部の抱っこ紐で抱いた乳幼児のお尻に当たる辺りに絞るように腰紐を設け、腰紐前面部に反射テープを設けたことを特徴とする乳幼児のウイルスカットカバー抱っこ用。
【発明の詳細な説明】
【技術分野】
【０００１】  本発明は、抱っこ紐で抱いた乳幼児を外気中のウイルスから守る事に関するものである。
【背景技術】
【０００２】  従来、乳幼児に対してもマスクなどで対応していた。
なお、ベビーカーに装着して使用する防雨カバーが知られている。（特許文献１、特許文献２、特許文献３参照）
【特許文献１】特許公開２００５−２７９２２６
【特許文献２】特許公開２００３−０５４４１６
【特許文献３】特許公開２００１−２６０８９４
【発明の開示】
【発明が解決しようとする課題】
【０００３】    乳幼児にマスクをつけさせることはとても難しく、いやがる子供は自分で取ってしまったりしていた。そしてベビーカー用の防雨カバーが知られているが、空気中のウイルス対策仕様ではないため、外気を取り込みにくい構造ではない。さらにパンデミックなどの緊急時には抱っこでコンパクトに行動できるほうが好ましい。
本発明は、以下の問題点を解決するためになされたものである。
【課題を解決するための手段】
【０００４】  抱っこ紐に装着されたカバー本体において、側面両部にフィルターを設け、背面にガーゼを設け、側面との接続部分にファスナーを設ける。カバー上半部分の頭部前面及び両側面の縁部分にソフトワイヤーを設ける。カバー上半部分の頭部から前面部の左右両端に、ソフトワイヤーに沿ってファスナーを設ける。カバー頭部の手前の縁中央部に開閉用のマジックテープ（登録商標）を設ける。下半部両側面に通気性の布部分を設け、カバー下半部の抱っこ紐で抱いた乳幼児のお尻に当たる辺りに絞るように腰紐を設ける。腰紐前面部に反射テープを設ける。
以上を特徴とする乳幼児のウイルスカットカバー抱っこ用である。
【発明の効果】
【０００５】    従来乳幼児の外出時に、外気中のウイルスに対する予防策は大人同様マスクしかなかったが、本発明により、自分で脱着できないことで、マスクを嫌がる子供に対してや、ごく小さい赤ちゃんを連れての外出や通院時の外気中のウイルスに対する予防が可能になり、安全に乳幼児を保護する事ができる。
【発明を実施するための最良の形態】
【０００６】以下、本発明の実施の形態を説明する。
（イ）抱っこ紐に装着されたカバー本体（１）において、側面両部にフィルター（５）を設ける。
（ロ）背面にガーゼ（７）を設け、側面との接続部分にファスナーを設ける。
（ハ）カバー上半部分の頭部前面及び両側面の縁部分にソフトワイヤー（２）を設ける。
（ニ）カバー上半部分の頭部から前面部分の左右両端に、ソフトワイヤー（２）に沿ってファスナー（８）を設ける。
（ホ）カバー頭部の手前の縁中央部に開閉用のマジックテープ（登録商標）（９）を設ける。
（ヘ）下半部両側面に通気性の布部分（６）を設け、カバー下半部の抱っこ紐で抱いた乳幼児のお尻に当たる辺りに、絞るように腰紐（４）を設ける。
（ト）腰紐前面部に反射テープ（３）を設ける。
本発明は以上のような構造である。
本発明を使用する時は、抱っこ紐にまずカバー本体（１）の背面部分を取り付け、子供を抱っこした後、カバー両側面と背面をファスナーで接続し、上半部分の頭部をファスナー（８）と開閉用のマジックテープ（登録商標）（９）で閉じる。
腰紐（４）で母子を一緒に縛り、空間を閉じて使用する。
【図面の簡単な説明】
【０００７】
【図１】本発明の使用状態を示す斜視図
【図２】本発明の斜視図
【図３】本発明の展開図
【図４】本発明の実施例を示す斜視図
【符号の説明】
【０００８】（１）カバー本体、（２）ソフトワイヤー、（３）反射テープ、（４）腰紐、（５）フィルター、（６）通気性の布部分、（７）ガーゼ、（８）ファスナー、（９）マジックテープ（登録商標）
【図１】
2010274086.tif 000003
【図２】
2010274086.tif 000004
【図３】
2010274086.tif 000005
【図４】
2010274086.tif 000006
(57)【要約】【課題】物干しハンガーが風に飛ばされず、又洗濯物を取り込む時にハンガーを一纏めに一気に取り外せる物干しハンガークリップを提供する。【解決手段】プラスチックのような少し硬めの素材で、物干し竿を包み込むような３０ｃｍ〜５０ｃｍ程の筒状のクリップ本体を形成し、屋根の尾根状に取手部を設ける。  取手部の反対側を開放し、両先端へりを外開きに反らす。取手部をはさんで、向かい合わせに一定の間隔で、湾曲Ｕ字形のハンガー通し穴を設ける。  取手部の両端に指を引っ掛ける持ち上げ部を設ける。【選択図】図１
2010274087.tif 000002
【特許請求の範囲】
【請求項１】
プラスチックのような少し硬めの素材で、物干し竿を包み込むような３０ｃｍ〜５０ｃｍ程の筒状のクリップ本体を形成し、屋根の尾根状に取手部を設け、取手部の反対側を開放し、両先端へりを外開きに反らし、取手部をはさんで、向かい合わせに一定の間隔で、湾曲Ｕ字形のハンガー通し穴を設け、取手部の両端に指を引っ掛ける持ち上げ部を設けた事を特徴とする物干しハンガークリップ。
【発明の詳細な説明】
【技術分野】
【０００１】  本発明は、物干し竿に掛けたハンガーが風で飛ばされたり、ハンガーとハンガーの重なりを防止し、竿に掛け易く取り外しが簡単な物干しハンガークリップに関するものである。
【背景技術】
【０００２】  従来物干し竿に掛けたハンガーが風で飛ばされたり、ハンガーとハンガーの重なりを防止する為に、ハンガーを洗濯バサミで止めたり、竿にハンガー受けを貼り付け、竿を回転する事によりハンガーを取り外す。（特許文献１参照）
又竿に取り付けてあるハンガー掛けを用いる。（特許文献２参照）
【特許文献１】  実用新案出願平９−１１７２５
【特許文献２】  特開２００６−６８４６５
【発明の開示】
【発明が解決しようとする課題】
【０００３】  物干し竿に掛けただけのハンガーは風で飛ばされない為には，洗濯バサミで止めなければならない。竿に貼り付け回転してハンガーを解除するハンガー掛けは，竿自体を回転させる為、掛けてある洗濯物が多い時は重く、竿を回す事が困難である。
竿に取り付けてあるハンガー掛けの穴は、洗濯物を干す時は掛けるのが容易ではなく、又突然の雨で個々にハンガーを外す手間を要する。
本発明は、以上の問題点を解決する為になされたものである。
【課題を解決するための手段】
【０００４】  プラスチックのような少し硬めの素材で、物干し竿を包み込むような３０ｃｍ〜５０ｃｍ程の筒状のクリップ本体を形成し、屋根の尾根状に取手部を設ける。取手部の反対側を開放し、両先端へりを外開きに反らす。取手部をはさんで、向かい合わせに一定の間隔で湾曲Ｕ字形のハンガー通し穴を設ける。取手部の両端に指を引っ掛ける持ち上げ部を設ける。
以上の特徴とする物干しハンガークリップである。
【発明の効果】
【０００５】  従来ハンガーの掛け外しが困難であったものが、物干しハンガークリップによって掛け外しが簡単に出来るとともに、ロックする事により、風で飛ばされる事もなくなる。
又ワンタッチで取り外しが出来る事により突然の雨などの時もハンガーを一度に取り込む事が出来、竿の使用したい位置に取り付ける事が出来る。
【発明を実施するための最良の形態】
【０００６】  以下、本発明の実施の形態を説明する。
プラスチックのような少し硬めの素材で、物干し竿を包み込むような３０ｃｍ〜５０ｃｍ程の筒状のクリップ本体（１）を形成し、屋根の尾根状に取手部（２）を設ける。取手部の反対側を開放し、両先端へりの挟み部（５）を外開きに反らす。取手部をはさんで、向かい合わせに一定の間隔で、湾曲Ｕ字形のハンガー通し穴（３）を設ける。取手部の両端に指を引っ掛ける持ち上げ部（４）を設ける。
本発明は以上の様な構造である。
これを使用する時は、物干し竿に取手部（２）を持ち、クリップ本体（１）の筒状の反発を利用してカチッと竿にかぶせるようにセットする。取手部（２）を前方に９０度回転させ、ハンガー通し穴（３）にハンガーを掛ける。
掛け終わったら取手部（２）を手前方向に回転させハンガーを固定する事によって、風で飛ぶ事を防止出来る。竿から外す時は、持ち上げ部（４）のどちらか一方だけを手で上に持ち上げると、簡単に外す事が出来、ハンガーを一纏めにして取り込む事が出来る。
ハンガー通し穴（３）によって様々な種類のハンガーに対応が可能である。
【図面の簡単な説明】
【０００７】
【図１】本発明の斜視図
【図２】本発明の正面図
【図３】本発明の平面図
【図４】本発明の側面図
【図５】本発明を竿にセットした図
【図６】本発明の使用例
【符号の説明】
【０００８】  １  クリップ本体
２  取手部
３  ハンガー通し穴
４  持ち上げ部
５  外開き挟み部
【図１】
2010274087.tif 000003
【図２】
2010274087.tif 000004
【図３】
2010274087.tif 000005
【図４】
2010274087.tif 000006
【図５】
2010274087.tif 000007
【図６】
2010274087.tif 000008
(57)【要約】【課題】  荷物の量に応じて、バッグの大きさを自由に変えられる、折り込み式三段バッグを提供する。【解決手段】  バッグの布地の内側の対向する両面上部に、約０．５センチから１センチ程度の間隔で三段に分けて長さ１０数センチ程の補強芯地を設け、補強芯地の両端部の位置に、補強芯地と布地を貫通する穴をあけ、ハトメを通しカシメ、補強芯地と布地の内側に取手紐ガイド布地を一周させ、取手紐が移動しやすいようにトンネル状に形成し、各段ごとにハトメを通って布地の内側のトンネルを貫通して一周する輪状の取手紐を取り付け、上段、中段、下段に設けた補強芯地の各段間の間隔スペースが折り目となることを特徴とする。【選択図】図１
2010274081.tif 000002
【特許請求の範囲】
【請求項１】
バッグの布地の内側の対向する両面上部に、約０．５センチから１センチ程度の間隔で三段に分けて長さ１０数センチ程の補強芯地を設け、補強芯地の両端部の位置に、補強芯地と布地を貫通する穴をあけ、ハトメを通しカシメ、補強芯地と布地の内側に取手紐ガイド布地を一周させ、取手紐が移動しやすいようにトンネル状に形成し、各段ごとにハトメを通って布地の内側のトンネルを貫通して一周する輪状の取手紐を取り付け、上段、中段、下段に設けた補強芯地の各段間の間隔スペースが折り目となることを特徴とする折り込み式三段バッグ。
【発明の詳細な説明】
【技術分野】
【０００１】  本発明は、買い物や旅行などに使用する折り込み式三段バッグに関するものである。
【背景技術】
【０００２】  従来、買物等の多少に応じて、袋の大きさを変えられるものは殆どなく、持手の紐やベルトの長さを調節するだけのものが一般的であった。
【発明の概要】
【発明が解決しようとする課題】
【０００３】  そのために、次のような問題点がある。
（イ）バッグを持ち歩く場合、中身の量が少ないときは、袋の形が崩れやすく、多すぎる    ときは、無理して詰め込んで破損しやすかった。
（ロ）バッグを持ち歩くときに、自分の身長に合わせた高さにするには、持ち手の紐やベ    ルトの長さ調節で対応するしかなかった。
本発明は、これらの問題点を解決されるためになされたものである。
【課題を解決するための手段】
【０００４】  バッグの布地の内側の対向する両面上半部に、約０．５センチから１センチ程度の間隔で三段に分けて、長さ１０数センチ程の補強芯地の両端部の位置に補強芯地と布地を貫通する穴をあけ、ハトメを通しカシメ、補強芯地と布地の内側に、取手紐ガイド布地を一周させ、取手紐が移動しやすいようにトンネル状に形成し、各段ごとに、ハトメを通って布地内側のトンネルを貫通して一周する輪状の取手紐を取り付け、上段、中段、下段に設けた補強芯地の各段間の間隔スペースが折り目となる。
以上のように構成された折り込み式三段バッグである。
【発明の効果】
【０００５】  バッグに入れる中身の量に応じて、バッグの容積を三段階に大きくしたり、小さくしたり、自由に調整できるので、中身が少なすぎてバッグの形が崩れたり、中身が多すぎて無理に詰め込んでバッグが破損したりする心配がない。
また、自分の身長に合わせた高さにするにも、いちいち持手のベルトの長さを調節したりする必要がない。
【図面の簡単な説明】
【０００６】
【図１】  本発明の大バッグとしての使用状態を示した正面図である。
【図２】  本発明の小バッグにした状態を示した正面図である。
【図３】  本発明の小バッグとしての使用状態を示した正面図である。
【図４】  本発明の中バッグにした状態を示した正面図である。
【図５】  本発明の中バッグとしての使用状態を示した正面図である。
【図６】  本発明の大バッグにした状態を示した正面図である。
【発明を実施するための形態】
【０００７】  以下、本発明の形態について説明する。
バッグの布地（１）の内側の対向する両面上部に、約０．５センチから１センチ程度の間隔で三段に分けて長さ１０数センチ程の補強芯地を（２）を設ける。
補強芯地（２）の両端部の位置に、補強芯地（２）と布地（１）を貫通する穴をあけ、ハトメ（３）を通しカシメる。
補強芯地（２）と布地（１）の内側に取手紐ガイド布地（５）を一周させ、取手紐（４）が移動しやすいようにトンネル状に形成する。
各段ごとにハトメ（３）を通って布地（１）の内側のトンネルを貫通して一周する輪状の取手紐（４）を取り付ける。
上段、中段、下段に設けた補強芯地（２）の各段間の間隔スペースが折り目（６）となる。
本発明は以上のような構造である。
本発明を使用するときは、取手紐（４）を引き上げると、左右両端の開口部が絞られ取手紐（４）は上に伸びる。
荷物が少なく、小バッグにする場合は、下段の取手紐（４）を使用し、中段及び上段は内側に折り込む。
荷物の多くなるにしたがって、中段および上段を折り戻して調節することで、中バックあるいは大バッグとして、最適の大きさに自由に変えることができる。
【符号の説明】
【０００８】      １  布地
２  補強芯地
３  ハトメ
４  取手紐
５  取手紐ガイド布地
６  折り目
【図１】
2010274081.tif 000003
【図２】
2010274081.tif 000004
【図３】
2010274081.tif 000005
【図４】
2010274081.tif 000006
【図５】
2010274081.tif 000007
【図６】
2010274081.tif 000008
(57)【要約】【課題】  従来のピンチカゴの方式では、中が見えにくいピンチカゴの中の洗濯バサミを手でまさぐる必要があったり、掴み取った後も洗濯バサミを握り直さなくてはならず、洗濯物を干す動作を円滑にできなかった。またピンチカゴを地面に落とした時には、収納されている洗濯バサミがバラバラに飛散してしまうため、洗濯バサミを掴み取る時にも注意が必要だった。それらの煩わしさを解消するための方式を構築する。【解決手段】  箱型フック構造に平板突起形状を複数枚設定し、箱型フック構造部を物干し竿や物干しロープに引っ掛け、平板突起形状部に洗濯バサミを取り付けるようにした。【選択図】 図４
2010274013.tif 000002
【特許請求の範囲】
【請求項１】
箱型フック構造に平板突起形状を複数枚設定し、箱型フック構造部を物干し竿や物干しロープに引っ掛け、平板突起形状部に洗濯バサミを取り付ける方式の洗濯バサミ収納器。
【発明の詳細な説明】
【技術分野】
【０００１】
洗濯バサミを収納する器具に関する。
【背景技術】
【０００２】
ピンチカゴを物干し竿や物干しロープに引っ掛け、その中に洗濯バサミを収納している。
【先行技術文献】
【特許文献】
【０００３】
【特許文献１】公開特許公報  特開２００２−３０１２９８
【特許文献２】公開特許公報  特開２００４−２４８８６５
【特許文献３】公開実用新案公報  昭５９−１８１６９０
【特許文献４】公開実用新案公報  昭６２−９６３９５
【特許文献５】公開実用新案公報  昭６３−８８９３
【発明の概要】
【発明が解決しようとする課題】
【０００４】
従来のピンチカゴの方式では図１に示すように、中が見えにくいピンチカゴの中の洗濯バサミを手でまさぐる必要があったり、掴み取った後も洗濯バサミを握り直さなくてはならず、洗濯物を干す動作を円滑にできなかった。またピンチカゴを地面に落とした時には、収納されている洗濯バサミがバラバラに飛散してしまうため、洗濯バサミを掴み取る時にも注意が必要だった。
【０００５】
先行技術では平板突起形状に洗濯バサミを取り付ける方式のものがあるが、物干しロープにぶら下げた状態が不安定なために洗濯バサミを掴む時に逃げてしまうものであったり、身体に装着して煩わしいものであったり、洗濯バサミの保管を主目的として洗濯物を干す場面での使用を想定していないものであった。
【課題を解決するための手段】
【０００６】
図２に示すように箱型フック構造に平板突起形状を複数枚設定し、箱型フック構造部を物干し竿や物干しロープに引っ掛け、平板突起形状部に洗濯バサミを取り付けるようにした。
【発明の効果】
【０００７】
図３に示すように本方式では洗濯バサミがよく見える位置にあり、握り部も外を向いているために洗濯バサミを掴み取る時に掴み取り易く、握り直す必要もなくなった。しかも上からだけでなく下からも洗濯バサミを掴み取ることができ、自由度が高まった。また図４に示すように掴み易い箇所の洗濯バサミが無くなったら、洗濯バサミ収納器を回転させるだけで希望の箇所に洗濯バサミを移動させることができる。また洗濯バサミが取り付いた状態で洗濯バサミ収納器を落としてしまっても、ピンチカゴの時のようにバラバラになることもなくなった。
【図面の簡単な説明】
【０００８】
【図１】従来の使用を示す正面図
【図２】本発明実施例の斜視図
【図３】本発明の使用を示す正面図
【図４】本発明の使用を示す斜視図
【図１】
2010274013.tif 000003
【図２】
2010274013.tif 000004
【図３】
2010274013.tif 000005
【図４】
2010274013.tif 000006